(57)【特許請求の範囲】
【請求項１】
電磁干渉（ＥＭＩ）フィルタリングの方法であって、
ＥＭＩフィルターネットワークに接続された少なくとも第１の負荷及び第２の負荷によって規定された変動負荷に対して第１のフィルター値を提供するよう、前記ＥＭＩフィルターネットワークを構成し、前記ＥＭＩフィルターネットワークは複数のスイッチを含み、前記ＥＭＩフィルターネットワークを構成するに際して、前記複数のスイッチのそれぞれの設定を選択し、
前記変動負荷の動作状態の第１の状態から第２の状態への変化を確認したとき、前記スイッチの前記設定を変更することによって、前記第１の負荷に対して第１のフィルター値を提供する第１の態様から、前記第２の負荷に対して第２のフィルター値を提供する第２の態様に前記ＥＭＩフィルターネットワークを再構成し、
前記変動負荷の前記動作状態の第３の状態への変化を確認したとき、前記スイッチの前記設定を変更することによって、前記第１の負荷及び前記第２の負荷双方への電力供給も提供しつつ、前記第１の負荷に対する前記第１のフィルター値及び前記第２の負荷に対する前記第２のフィルター値を提供する第３の態様に前記ＥＭＩフィルターネットワークを再構成する、方法。
【請求項２】
前記ＥＭＩフィルターネットワークは、複数のインダクタ及び複数のコンデンサを含んでおり、前記ＥＭＩフィルターネットワークは、前記複数のインダクタ及びコンデンサを、前記複数のスイッチを用いて前記第１の態様で電気的に接続することによって、前記第１のフィルター値を提供し、前記複数のインダクタ及びコンデンサを、前記複数のスイッチを用いて第２の態様で電気的に接続することによって、前記第２のフィルター値を提供する、請求項１に記載の方法。
【請求項３】
前記第１のフィルター値は、複数の負荷のうちの前記第１の負荷に接続された、前記ＥＭＩフィルターネットワークの第１の出力に供給される一方、前記第２のフィルター値は、複数の負荷のうちの第２の負荷に接続された、前記ＥＭＩフィルターネットワークの第２の出力に供給される、請求項１〜２のいずれか１つに記載の方法。
【請求項４】
前記ＥＭＩフィルターネットワークが、前記第１の出力に前記第１のフィルター値を供給する際、前記ＥＭＩフィルターネットワークは、前記第２の出力に第３のフィルター値を供給し、前記第３のフィルター値は、前記第２のフィルター値とは異なる、請求項３に記載の方法。
【請求項５】
前記ＥＭＩフィルターネットワークの複数の入力において、電力変換システムから電力を受信することをさらに含み、受信した電力を前記第１及び第２のフィルター値によってフィルタリングしてから、フィルタリングされた電力を、前記ＥＭＩフィルターネットワークの前記第１及び第２の出力を用いて前記変動負荷に供給することをさらに含む、請求項３に記載の方法。
【請求項６】
電力供給を受けるための複数の入力と、
前記複数の入力に対して選択的に接続可能な複数の受動回路要素と、
複数のスイッチと、
それぞれ負荷に接続するように構成された第１及び第２の出力と、を含み、
前記複数のスイッチが前記複数の受動回路要素間に配置されていることによって、前記スイッチのそれぞれの設定が第１の状態から第２の状態に変更されると、前記複数の受動回路要素が、前記第１の出力用の第１のフィルター値を提供する第１の態様から、前記第２の出力用の第２のフィルター値を提供する第２の態様に再構成され、
前記スイッチの前記設定が第３の状態に変更されると、前記複数の受動回路要素が、前記第１の出力及び前記第２の出力双方への電力供給も提供しつつ、前記第１の出力用の前記第１のフィルター値及び前記第２の出力用の前記第２のフィルター値を提供する第３の態様に再構成される、ＥＭＩフィルターネットワーク。
【請求項７】
前記第１の態様から前記第２の態様に切り替えると、前記第２の出力のフィルター値は、第３のフィルター値から前記第２のフィルター値に変化する、請求項６に記載のＥＭＩフィルターネットワーク。
【請求項８】
前記第１の態様から前記第２の態様に切り替えると、前記第１の出力のフィルター値は、前記第１のフィルター値から第４のフィルター値に変化する、請求項７に記載のＥＭＩフィルターネットワーク。
【請求項９】
前記複数の受動回路要素は、少なくとも１つのインダクタ及び少なくとも１つのコンデンサを含み、前記複数のスイッチのうちの少なくとも１つは、前記インダクタとコンデンサの間に配置されることによって、前記コンデンサを前記インダクタに対して電気的に接続・遮断する、請求項６〜８のいずれか１つに記載のＥＭＩフィルターネットワーク。
【請求項１０】
前記各負荷を含む変動負荷の動作状態の変化が確認されたのを受けて、前記複数のスイッチのうちの少なくとも１つの状態を制御することによって、前記複数の受動回路要素を前記第１の態様から前記第２の態様に変更するように構成されたコントローラをさらに含む、請求項６〜９のいずれか１つに記載のＥＭＩフィルターネットワーク。
【発明の詳細な説明】
【技術分野】
【０００１】
本明細書に記載の態様は、電磁干渉（ＥＭＩ）フィルターに関し、より具体的には、変動負荷（dynamic load）に接続されたＥＭＩフィルターネットワークに関する。
【背景技術】
【０００２】
電磁誘導又は電磁放射の影響を低減するために、電子回路内にＥＭＩフィルターが配置される場合がある。フィルタリングせずに放置しておくと、このような干渉によって回路の実効性能が妨げられたり低下したりする場合がある。一態様において、負荷（例えば、モータやアクチュエータ）を駆動するために用いられる電力信号を、ＥＭＩフィルターでフィルタリングすることによって、不要な電子信号を除去することができる。しかしながら、ＥＭＩフィルターのコンポーネント（例えば、コンデンサ及びインダクタ）によって、フィルターを含むモータコントローラの重量が増す。例えば、ＥＭＩフィルターが、モータコントローラの総重量の最高６０％まで占める場合がある。ハイパワーシステムの場合、ＥＭＩフィルターによって、モータコントローラの重量が最高で２０〜５０キログラム増す場合がある。また、ＥＭＩフィルターは、かなりのスペースを必要とする場合がある。多くの状況において、ＥＭＩフィルターに関連する重量及び体積は、これらが設置されたシステムの機能に影響を及ぼす。例えば、ＥＭＩフィルターを航空機に設置した場合、貨物用に利用できたはずのスペースが占有されるとともに、重量の増加によって燃料効率が低下することが考えられる。
【発明の概要】
【０００３】
様々な態様によれば、電磁干渉（ＥＭＩ）フィルタリングの方法が開示される。当該方法は、ＥＭＩフィルターネットワークに接続された複数の負荷によって規定された変動負荷に対して第１のフィルター値を提供するよう、ＥＭＩフィルターネットワークを構成することを含み、ＥＭＩフィルターネットワークは複数のスイッチを含み、ＥＭＩフィルターネットワークを構成するに際しては、複数のスイッチのそれぞれの設定を選択する。当該方法は、変動負荷の動作状態の変化を確認したとき、複数のスイッチのうちの少なくとも１つの設定を変更することによって、変動負荷に対して第２のフィルター値を提供するよう、ＥＭＩフィルターネットワークを再構成することを含む。
【０００４】
様々な態様によれば、複数の受動回路要素と、複数のスイッチと、それぞれ負荷に接続するように構成された第１及び第２の出力とを含むＥＭＩフィルターネットワークが開示される。複数のスイッチが複数の受動回路要素間に配置されていることによって、スイッチのうちの少なくとも１つの状態を変更すると、複数の受動回路要素が、第１の出力用の第１のフィルター値を提供する第１の態様から、第２の出力用の第２のフィルター値を提供する第２の態様に再構成される。
【０００５】
様々な態様によれば、複数のスイッチを含むＥＭＩフィルターネットワークと、ＥＭＩフィルターネットワークに接続された複数の負荷によって規定された変動負荷と、コントローラとを含むシステムが開示される。コントローラは、変動負荷に対して第１のフィルター値を提供するようにＥＭＩフィルターネットワークを構成するように構成されており、ＥＭＩフィルターネットワークを構成するに際しては、複数のスイッチのそれぞれの設定を選択する。コントローラは、変動負荷の動作状態の変化を確認したとき、複数のスイッチのうちの少なくとも１つの設定を変更することによって、変動負荷に対して第２のフィルター値を提供するよう、ＥＭＩフィルターネットワークを再構成するように構成されている。
【０００６】
様々な態様によれば、ＥＭＩフィルターネットワークを設計するための方法が用いられる。当該方法は、複数の負荷のそれぞれのための個別ＥＭＩフィルターを決定するとともに、個別ＥＭＩフィルターの受動回路要素の総数を求めることを含む。当該方法は、各負荷のそれぞれに対して構成テーブルを作成することを含み、各構成テーブルは、受動回路要素の総数よりも少ない第１の数の受動回路要素を用いて実現可能な各負荷用のＥＭＩフィルターの構成のリストを含んでおり、且つ、検索アプリケーションを用いて、負荷のそれぞれのための少なくとも１つの構成、及び、第１の数の受動回路要素用の好適な値を特定する、ことを含む。当該方法は、特定された構成及び好適な値に基づいてＥＭＩフィルターネットワークを作成することを含む。
【図面の簡単な説明】
【０００７】
【図１】変動負荷に接続されたＥＭＩフィルターネットワークを示すブロック図である。
【図２】変動負荷に接続されたＥＭＩフィルターネットワークを示すブロック図である。
【図３】ＥＭＩフィルターネットワークの回路図である。
【図４】変動負荷の様々な動作状態に対応する、ＥＭＩフィルターネットワークの様々な構成を示すチャートである。
【図５】変動負荷の動作状態の変化に基づいてＥＭＩフィルターネットワークを再構成する方法を示す図である。
【図６】ＥＭＩフィルターネットワークの設計方法を示す図である。
【図７】複数の負荷用の個別のＥＭＩフィルターを示すブロック図である。
【図８】負荷用のＥＭＩフィルターの構成テーブルを示す図である。
【発明を実施するための形態】
【０００８】
理解を容易にするため、図面間で共通する同一の要素は、可能な場合、同一の参照番号で示している。１つの態様に開示された要素は、特に説明が無くとも他の態様で有益に使用しうると考えられる。
【０００９】
本開示における各図は、提示される実施形態の各態様の例を示しており、相違点のみを詳細に説明する。
【００１０】
一態様において、各モータ又はアクチュエータごとに個別のＥＭＩフィルターを設置することに代えて、ＥＭＩフィルターネットワークを用いることによって、複数の負荷（まとめて変動負荷と呼ぶ）に対する干渉フィルタリングを実現することができる。ＥＭＩフィルターネットワークに含まれる電気コンポーネントの数は、負荷のそれぞれに対して個別のＥＭＩフィルターを設置した場合よりも少ないものとなり、これによって、変動負荷用の干渉フィルタリングを提供するのに必要な重量及びスペースを低減することができる。一態様において、ＥＭＩフィルターネットワークは、受動回路要素（例えば、インダクタ及びコンデンサ）の様々な構成又は配置を実現する電気スイッチを含む。各構成によって、生成されるフィルター値（filter value）が異なる。ＥＭＩフィルターネットワークを、コントローラに通信可能に接続し、コントローラが、変動負荷の動作状態の変化に応じて、ＥＭＩフィルターネットワークの構成を変更するようにしてもよい。例えば、ＥＭＩフィルターネットワークの各構成を、変動負荷の動作状態のうちの１つに対応させてもよい。これによれば、変動負荷の動作状態が変化すると、例えば、別のモータ又はモータの組み合わせが動作状態となると、コントローラがＥＭＩフィルターネットワークの構成を変更することによって、変動負荷の現時点の動作状態に対応する１つ又は複数のフィルター値を提供することができる。このようにして、１つのＥＭＩフィルターネットワークを切り替え可能な構成とすることによって、複数の個別の負荷を含む変動負荷の変化に対応することができる。
【００１１】
図１は、変動負荷１３０に接続されたＥＭＩフィルターネットワーク１２０を示すブロック図である。一態様において、システム１００は、列車、飛行機、船などの可動輸送体に設置してもよい。別の態様において、システム１００は、固定の設備に設置してもよい。図示のように、システム１００は、電源１０５、入力ＥＭＩフィルター１１０、電力変換システム１１５、ＥＭＩフィルターネットワーク１２０、コントローラ１２５、及び、変動負荷１３０を含む。
【００１２】
電源１０５（例えば外部電源）は、例えば、電力バスに沿ってＥＭＩフィルター１１０に電力を供給する直流電源又は交流電源である。一態様において、電源１０５は、エンジン（図示せず）−例えばジェットエンジン、燃焼機関など−によって提供されるエネルギーを利用して、電力を生成する。入力ＥＭＩフィルター１１０は、電源１０５から供給された電力を電力変換システム１１５に送る前に、当該電力から不要な干渉を除去し、電力変換システムは、電源１０５によって生成された電力を、変動負荷１３０内の負荷１３５（例えばモータやアクチュエータ）によって使用可能な電力に変換する。一例において、電源１０５が直流電力を供給するのに対して、負荷１３５は動作にＡＣ電力を必要とする場合、電力変換システム１１５は、直流から交流への変換を行う。反対に、電源が交流電力を出力し、電力変換システム１１５によって、これが負荷１３５用の直流電力に変換される場合もある。あるいは、電源１０５が、負荷１３５が必要とする電力タイプに一致する電力を供給する場合もある。例えば、電源１０５及び変動負荷１３０の両方が、交流電力に適合する場合である。ただし、負荷１３５は、電源１０５によって出力された電力とは異なる電圧又は電力要件を有する場合がある。例えば、電源が１０００Ｖ、０．５アンペアの直流電力信号を出力するのに対して、負荷１３５は、２２０Ｖ、２アンペアの電力信号を必要とするかもしれない。この場合、電力変換システム１１５は、直流電力を適切な電圧及び電流範囲に変換する１つ又は複数の変圧器を含んでもよい。ただし、電源１０５が、交流／直流変換や電圧／電流特性の変更を行う必要なく負荷１３５に適合する電力を生成する場合、システム１００には、電力変換システム１１５及び入力ＥＭＩフィルター１１０が必要でない場合もある。
【００１３】
一態様において、負荷１３５は様々な電力を必要とし、送給された電力の電圧及び周波数は、負荷１３５の１つ又は複数の動作状態（例えば、出力速度、トルク、流れ又は圧力の変化）によって変化する。例えば、電源１０５が、負荷１３５の動的な電力需要を満たすべく、送給電力の電圧及び／又は周波数を調整してもよい。また、電源１０５が、負荷１３５のうちの１つの電力需要を満たすために電圧又は周波数を変更する場合、電力変換システム１１５及びコントローラ１２５が協働することによって、他の負荷１３５にも適切な電力が送給されるようにしてもよい。すなわち、負荷１３５の電力需要は、互いに異なる場合がある。
【００１４】
図示のように、電力変換システム１１５の出力は、ＥＭＩフィルターネットワーク１２０に接続されており、ＥＭＩフィルターネットワークは、複数の負荷１３５に接続されている。ＥＭＩフィルターネットワーク１２０は、当該ネットワーク１２０を再構成可能とする複数のスイッチを有しうる。一態様において、フィルターネットワーク１２０のスイッチは、複数の個別の受動電気コンポーネント（例えば、インダクタ及びコンデンサ）間の電気的接続を確立する。スイッチを切り替えることによって、電気コンポーネント間に様々な電気的接続を確立することができ、これによって、ＥＭＩフィルターネットワーク１２０によって生成される、受信電力のフィルタリングに用いられるフィルター値を変化させることができる。一態様において、ＥＭＩフィルターネットワーク１２０の様々な構成は、それぞれ、変動負荷１３０の動作状態と対応している。例えば、ある動作状態において、負荷１３５Ａのみが稼働状態であり、他の負荷１３５Ｂ及び１３５Ｃは、非稼働状態であるかもしれない。この場合、ＥＭＩフィルターネットワーク１２０は、負荷１３５Ａに適したフィルター値のみを供給しさえすればよい。コントローラ１２５は、変動負荷１３０の動作状態を判定し、ＥＭＩフィルターネットワーク１２０のスイッチに制御信号を送ることによって、現時点の動作状態に対応するフィルター値を提供する。上述の例の場合、コントローラ１２５は、スイッチを切り替えて、電気コンポーネントのうちのいくつかを遮断するとともに他の電気コンポーネントを接続し、これによって、適切なフィルター値が負荷１３５Ａに提供される。変動負荷の動作状態が変わると（例えば、負荷１３５Ａと１３５Ｂの両方が稼働状態となると）、コントローラ１２５は、ＥＭＩフィルターネットワーク１２０内の電気コンポーネントを再構成し、これによって、変動負荷１３０に適切なフィルター値が提供される。
【００１５】
一態様において、コントローラ１２５は、変動負荷１３０の動作状態、すなわち、負荷１３５のうちのいずれが稼働状態で、いずれが非稼働状態であるか、を示すデータパケット又はセンサデータを受信する。あるいは、コントローラ１２５が、負荷１３５の動作状態の制御及び変更を受け持ち、従って、変動負荷１３０の動作状態を把握していてもよい。一態様において、コントローラ１２５は、コンピューティングシステム、ハードウェアコンポーネント、又はこれら両方の組み合わせ上で実行されるソフトウェアアプリケーションであってもよい。また、コントローラ１２５は、ＥＭＩフィルターネットワーク１２０とは別体のものとして図示されているが、別の態様において、ネットワーク１２０と一体にしてもよい。一例において、ＥＭＩフィルターネットワーク１２０とコントローラ１２５の両方を、負荷１３５の制御を行うモータコントローラ内に配置してもよい。
【００１６】
負荷１３５は、互いに異なる機能を有する場合がある。例えば、負荷１３５Ａは、輸送体内の空気を循環させるためのファンを駆動するモータであり、負荷１３５Ｂは、貨物を冷却するクーラーであり、負荷１３５Ｃは、油圧システムに動力を与えるためのモータであるかもしれない。また、負荷１３５は、変換システム１１５から、互いに異なる電力を引き出すこともありうる。例えば、負荷１３５Ａ及び１３５Ｂは、１０キロワットの電力を引き出す一方、負荷１３５Ｃは４００キロワットの電力を引き出すかもしれない。さらに、負荷１３５は、システム１００内の互いに異なる位置に配置してもよいし、同じ位置に配置（例えば、同じシャーシ内に収容）してもよい。負荷１３５の位置に関わらず、ＥＭＩフィルターネットワーク１２０は、フィルタリングされた電力を負荷１３５に供給できるよう、システム１００内に配置され、負荷１３５のそれぞれに接続される。
【００１７】
図２は、変動負荷１３０に接続されたＥＭＩフィルターネットワーク１２０を示すブロック図である。図示のように、システム２００は、変換システム１１５を図１よりも詳細に示している。ここで、変換システム１１５は、複数のインバータ２０５を含み、これらのインバータは、直流電力信号を交流信号に変換するためのスイッチングネットワーク２１０に接続されている。入力ＥＭＩフィルター１１０は、直流バス２１５を用いて、インバータ２０５のそれぞれに正及び負の電圧を供給する。インバータ２０５及びスイッチングネットワークは、制御信号（例えばパルス幅変調信号）を用いて、直流電力信号を切り替え、出力Ｓ１、Ｓ２、Ｓ３に交流信号（例えば、正弦波形）を生成する。一態様において、出力Ｓ１、Ｓ２、Ｓ３のそれぞれは、三相交流信号に相当する。例えば、各出力が、負荷として、３相モータを駆動する。別の態様において、出力Ｓ１、Ｓ２、Ｓ３のそれぞれは、一相の交流信号に相当する（例えば、各出力が単相負荷を駆動する）。三相交流信号は１２０度の位相差を除いて同一であるため、ＥＭＩフィルターは、１つの相を用いて計算し、得られたフィルター値を、三相用に３回複製するように構成されている。簡略化のために、本開示においては、ＥＭＩフィルターは、一相用に設計されたものとして示しており、これを複数相のシステムに用いることもできる。
【００１８】
ＥＭＩフィルターネットワーク１２０を用いることによって、変換システム１１５によって生成された交流信号を平滑化し、電磁放射干渉信号を除去することができる。例えば、ＥＭＩフィルターネットワーク１２０は、交流信号（例えば、方形波）から高周波成分を除去することによって、低周波の正弦波を生成することができる。上述したように、コントローラ（図示せず）は、変動負荷１３０の動作状態の変化に応じて、ＥＭＩフィルターネットワーク１２０を再構成することができる。
【００１９】
図３は、本明細書に記載の一態様によるＥＭＩフィルターネットワーク１２０の回路図である。変換システム１１５の出力Ｓ１、Ｓ２、Ｓ３は、ネットワーク３００の入力となる。ＥＭＩフィルターネットワーク３００は、複数のスイッチ（例えば、Ｓｗ１、Ｓｗ２、Ｓｗ３、Ｓｗ４、Ｓｗ５、Ｓｗ６）を含み、これらによって、電気コンポーネント（例えばインダクタ（Ｌ）及びコンデンサ（Ｃ））がどのように相互接続されるかが決まる。図示していないが、コントローラ（例えばコントローラ１２５）が、スイッチの設定を決定する制御信号を供給する。すなわち、コントローラは、Ｓｗ１がＰ１又はＰ２のどちらに接続されるべきかを決定する。例えば、Ｓｗ１がＰ１に接続されると、インダクタＬ１はＳ１に接続されるが、Ｓｗ１がＰ２に接続されると、Ｌ１はＳ２に接続される。同様にして、スイッチは、ＥＭＩフィルターネットワーク３００内の電気経路を変更することができる。例えば、Ｓｗ５がＰ１に接続されると、コンデンサＣ１は、Ｌ１とＬ２の両方に電気的に接続される。ところが、Ｓｗ５がＰ２に接続されると、（Ｓｗ６がＰ１ではなくＰ２に接続されていると仮定した場合）Ｃ１はＣ２に接続される。このようにして、スイッチを制御することによって、ＥＭＩフィルターネットワーク３００の構成を変更することができ、これによって、出力Ｔ１、Ｔ２、Ｔ３に表れるフィルター値を変更することができる。別の言い方をすれば、変動負荷の動作状態が変化するのに応じて、コントローラは、ＥＭＩフィルターネットワーク３００のスイッチを切り替え、これによって、出力Ｔ１、Ｔ２、Ｔ３のうちの少なくとも１つにおけるＬＣフィルター値が変化する。
【００２０】
図４は、変動負荷の様々な動作状態に対応する、ＥＭＩフィルターネットワークの様々な構成を示すチャート４００である。具体的には、チャート４００は、変動負荷の様々な動作状態に合わせて、出力Ｔ１、Ｔ２、Ｔ３に所望のフィルター値を供給するスイッチの設定を示している。この例において、変動負荷は４つの動作状態を有する。動作状態１においては、負荷１３５Ａのみが稼働状態である。動作状態２においては、負荷１３５Ｂのみが稼働状態である。動作状態３においては、負荷１３５Ｃのみが稼働状態である。動作状態４においては、負荷１３５Ａと１３５Ｂの両方が稼働状態である。もちろん、他の例において、他の動作状態（例えば３つの負荷１３５すべてが稼働状態）も可能である。動作状態の数は、変動負荷の固有の構造及び機能に依存する。
【００２１】
チャート４００は、動作状態のそれぞれに対応するＥＭＩフィルターネットワーク３００の構成を含んでいる。図示のように、これらの構成は、ＥＭＩフィルターネットワーク３００の出力Ｔ１、Ｔ２、Ｔ３の少なくとも１つに所望のフィルター値（すなわちＬＣフィルター値）が供給される、スイッチの適切な設定を示している。動作状態１の場合、Ｓｗ１をＰ１に、Ｓｗ２をＰ１に、Ｓｗ５をＰ１に設定することによって互いに接続されたＬ１、Ｌ２、Ｃ１によって、フィルター値が決まる。このＬ１、Ｌ２、Ｃ１の組み合わせによって、負荷１３５Ａに送信される電力信号をフィルタリングするための所望のフィルター値が、出力Ｔ１に供給される。なお、ＥＭＩフィルターネットワーク３００内の他の電気コンポーネント（例えば、Ｃ２、Ｌ３、及び、Ｌ４）が出力Ｔ２及びＴ３に接続される場合もあるが、負荷１３５Ｂ及び１３５Ｃは稼働状態ではないため、これらのコンポーネントが負荷に影響を与えることはない。すなわち、Ｃ２、Ｌ３、Ｌ４（すなわち、現時点で使用されていない電気コンポーネント）が、Ｃ１、Ｌ１、Ｌ２（すなわち、現時点で使用されている電気コンポーネント）に電気的に接続されていない限り、Ｃ２、Ｌ３、Ｌ４を、非稼働状態の負荷に接続されているＥＭＩフィルターネットワーク３００の出力に接続することができる。ただし、一態様において、ＥＭＩフィルターネットワーク３００は、出力Ｔ１、Ｔ２、Ｔ３を選択的に遮断するための追加のスイッチを含んでいてもよい。例えば、変動負荷が動作状態１にある場合、出力Ｔ２及びＴ３のスイッチをオフにすることによって、ＥＭＩフィルターネットワーク３００を負荷１３５Ｂ及び１３５Ｃから遮断してもよい。
【００２２】
変動負荷が動作状態２に切り替わると、ＥＭＩフィルターネットワーク３００は、負荷１３５Ｂに適したフィルター値が出力Ｔ２に供給されるように、スイッチを再構成することができる。この場合、Ｓｗ３をＰ２に、Ｓｗ４をＰ１に、Ｓｗ６をＰ１に設定することによって互いに接続されたＬ３、Ｌ４、及び、Ｃ２の組み合わせによって、フィルター値が決まる。変動負荷が動作状態１から動作状態２に切り替わる場合、コントローラは、ＥＭＩフィルターネットワーク３００を再構成する必要がない場合もある。すなわち、ＥＭＩフィルターネットワーク３００のスイッチは、すでに、Ｔ１（すなわち負荷１３５Ａ）及びＴ２（すなわち負荷１３５Ｂ）の両方に適切なフィルター値を供給する構成となっているかもしれない。これは、負荷１３５Ａに適切なフィルター値を提供するのに必要な電気コンポーネント及びスイッチ（すなわち、Ｌ１、Ｃ２、Ｃ１、Ｓｗ１、Ｓｗ２、Ｓｗ５）が、負荷１３５Ｂに適切なフィルター値を提供するのに必要な電気コンポーネント及びスイッチ（すなわち、Ｌ３、Ｌ４、Ｃ２、Ｓｗ３、Ｓｗ４、Ｓｗ６）と同じではないために起こりうる。ただし、変動負荷が動作状態１又は動作状態２から動作状態３に切り替わる場合は、これはあてはまらない。すなわち、負荷１３５Ｃに提供されるフィルター値は、動作状態１及び２において使用される電気コンポーネント及びスイッチによって決まるため、コントローラはスイッチを再構成し、電気コンポーネントを異なる形態で接続しなければならない。例えば、動作状態１において、Ｌ１はＣ１に接続されるが、動作状態３においては、Ｓｗ５がＰ２に接続されることによって、Ｌ１はＣ１から遮断される。こうして、出力Ｔ１は、負荷１３５Ａに適したフィルター値をもはや提供しなくなるが、動作状態３においては、負荷１３５Ａは非稼働状態であり、問題となるフィルター値は、負荷１３５Ｃに接続された出力Ｔ３に供給されるフィルター値のみであるため、このことは許容される。このように、チャート４００は、変動負荷の様々な動作状態に対応する、ＥＭＩフィルターネットワークの様々な構成を示しており、各負荷が稼働状態の際に必要とするフィルター値は、互いに異なっている。変動負荷の様々な動作状態を満たす、再構成可能なＥＭＩフィルターネットワーク３００の設計については、後述する。
【００２３】
一態様において、チャート４００は、コントローラ内のデータ構造に格納してもよい。現時点での変動負荷の動作状態が特定されたのを受けて、コントローラは、チャート４００を参照して、現時点の動作状態に対応するＥＭＩフィルターネットワーク３００の構成を特定する。コントローラは、この構成用のスイッチ設定を読み出し、フィルターネットワーク３００内のスイッチを所望の配置にするための制御信号を出力することによって、適切な出力に所望のフィルター値が供給されるように、インダクタ及びコンデンサの電気的構成を設定する。例えば、動作状態４において、ＥＭＩフィルターネットワーク３００は、負荷１３５Ａ及び１３５Ｂ用の出力Ｔ１及びＴ２の両方に、それぞれのフィルター値を供給する。
【００２４】
図５は、変動負荷の動作状態の変化に基づいてＥＭＩフィルターネットワークを再構成する方法５００を示している。ブロック５０５において、コントローラは、ＥＭＩフィルターネットワークに接続された変動負荷に第１のフィルター値を提供するように、当該ネットワークを構成する。一態様において、ＥＭＩフィルターネットワークは、変動負荷内の個別の負荷に対するそれぞれの電気接続部を含む。変動負荷は、さまざまな動作状態を含む場合があり、各動作状態において、変動負荷内の異なる組の負荷が稼働状態となる。なお、「組」は、稼働状態の負荷を、１つだけ含むことも、複数含むこともありうる。１つの負荷が稼働状態にある場合、ＥＭＩフィルターネットワークは、この稼働状態の負荷に接続された出力に、当該負荷が必要とするフィルター値を供給する。すなわち、変動負荷内の２つ以上の負荷は、互いに異なるフィルター値を必要とする場合がある。従って、互いに異なるフィルター値を必要とする複数の負荷が稼働状態の場合、ＥＭＩフィルターネットワークは、これらの異なるフィルター値をそれぞれの出力に供給する。例えば、１つのフィルター値が、第１の周波数に設定されたローパスフィルターであり、別のフィルター値が、これとは異なる第２の周波数に設定されたローパスフィルターであってもよい。
【００２５】
ブロック５１０において、コントローラは、変動負荷の動作状態の変化を確認する。例えば、コントローラは、変動負荷における異なる組の負荷が動作状態である（又は動作状態になろうとしている）というメッセージを受信してもよいし、センサを用いて負荷を監視してもよい。例えば、コントローラは、変動負荷内の個別の負荷によって引き出される電力、変換システムに入力される電圧、又は、ＥＭＩフィルターネットワークから変動負荷に出力される電圧を測定することによって、変動負荷の動作状態を判定してもよい。あるいは、コントローラが変動負荷における負荷の動作状態の制御及び変更を受け持つことによって、変動負荷の現時点の状態を把握するようにしてもよい。
【００２６】
ブロック５１５において、コントローラは、変動負荷に第２のフィルター値を提供するよう、ＥＭＩフィルターネットワークを再構成する。一態様において、ＥＭＩフィルターネットワークは、ＥＭＩフィルターネットワーク内のインダクタ及び／又はコンデンサを、相互に、又は、異なる入力／出力に接続可能なスイッチを含む。スイッチを切り替えることによって、コントローラは、ＥＭＩフィルターネットワークの各出力に表れるフィルター値を、変更又は設定することができる。
【００２７】
一態様において、ブロック５１５においてＥＭＩフィルターネットワークを再構成する際、出力の１つにおけるフィルター値が、同じ出力における以前のフィルター値に対して変化する。例えば、図４のチャート４００を例として用いると、動作状態１にある時は、出力Ｔ１におけるフィルター値は、Ｌ１、Ｌ２、Ｃ２によって規定される。しかしながら、変動負荷が動作状態３に変わると、Ｓｗ２は、Ｐ２に切り替わり、ＥＭＩフィルターネットワーク内のあらゆる電気コンポーネントから出力Ｔ１を遮断する。また、動作状態３において、Ｔ３におけるフィルター値は、Ｌ１、Ｌ２、Ｌ３、Ｌ４、Ｃ１、Ｃ２の組み合わせによって規定され、これは、動作状態１におけるフィルター値とは異なる。例えば、動作状態１にある時に、Ｓｗ４がＰ１に接続されていたとしたら、ＥＭＩフィルターネットワーク内のあらゆる電気コンポーネントから出力Ｔ３を遮断していたことになる。このように、これらの例において、ＥＭＩフィルターネットワークを再構成する際に、出力におけるフィルター値が変化し、例えば、フィルター値がゼロ値から非ゼロ値になる。もちろん、他の例において、変動負荷の動作状態が切り替わっても、コントローラがＥＭＩフィルターネットワークを再構成する必要が無い場合もある。上述したように、変動負荷の動作状態が動作状態１から動作状態２、又はその反対に切り替わる場合、ＥＭＩフィルターネットワークの構成が変化しない場合がある。
【００２８】
図６は、ＥＭＩフィルターネットワークを設計する方法を示している。ブロック６０５において、設計者は、変動負荷内の各負荷用のそれぞれのＥＭＩフィルター、及び、フィルター内の電気コンポーネントの数を決定する。すなわち、１つの再構成可能なネットワークで複数の負荷用のＥＭＩフィルタリングを行うことができるＥＭＩフィルターネットワークを設計するのではなく、設計者は、負荷のそれぞれのための個別のＥＭＩフィルターを決定する。
【００２９】
図７は、複数の負荷７１０用のそれぞれのＥＭＩフィルター７０５を示すブロック図である。例えば、負荷７１０Ａ、７１０Ｂ、７１０Ｃは、図１の変動負荷１３０における負荷１３５Ａ、１３５Ｂ、１３５Ｃに対応する。ここで、例えば、負荷７１０のうちのそれぞれが必要とするフィルター値は互いに異なっており、従って、ＥＭＩフィルター７０５は、各負荷７１０に対して適切なフィルター値を提供すべく、互いに異なるインダクタ値及びコンデンサ値を有する。回路を設計し、適切なインダクタ値及びコンデンサ値を割り当てることは、方法６００のブロック６０５において行われる。一態様において、ＥＭＩフィルター７０５は、再構成可能ではない独立型の（standalone）フィルターである。
【００３０】
方法６００のブロック６１０において、設計者は、図７に示した個別のＥＭＩフィルター７０５の電気コンポーネントの総数よりも少ない数の電気コンポーネントを用いて実現可能な構成の数を求める。すなわち、設計者は、負荷７１０用のＥＭＩフィルター７０５におけるすべてのコンポーネントを足すことによって、ＥＭＩフィルター７０５の受動回路要素の総数を求める。この例では、６個のインダクタと３個のコンデンサが含まれている。ブロック６１０において、設計者は、この総数よりも少ない所定数の電気コンポーネントを選択する。ここでは、説明のために、この減らされた数の電気コンポーネントは、４個のインダクタと２個のコンデンサであると仮定しよう。すなわち、ＥＭＩフィルターのコンポーネントの総数に対して２個のインダクタと１個のコンデンサが減らされたことになる。
【００３１】
一態様において、ＥＭＩフィルターネットワークに加えられるスイッチ（これもスペースを占有し重量を増す）の数を制限するため、設計者は、新たに構成するＥＭＩフィルターは、いずれも、２つ以下の個別のコンポーネントを用いるというルールを採用してもよい。例えば、フィルター７０５ＡのＬ１は、この減らされた数の電気コンポーネントの４つのインダクタのうちの１つ、又は、２つまでのインダクタの組み合わせを用いて構成してもよいが、この数の減らされた組の電気コンポーネントのインダクタのうちの３つ又は４つを必要とする組み合わせによって構成することはしない。このルールは、完成時に、ＥＭＩフィルターネットワークを再構成するのに用いるスイッチの数を制限するのに役立つ。ただし、このルールを採用するかどうかは任意である。例えば、スイッチの重量及び体積を問題としない場合もありうる。
【００３２】
図８は、負荷用のＥＭＩフィルターの構成テーブル８００であり、減らされた数の電気コンポーネントを用いて実現可能な構成の総数を示している。この構成においては、４個のインダクタと２個のコンデンサによって実現可能な構成が３６０個ある。例示を目的として、これらの構成のうちの４個が回路８０５、８１０、８１５、８２０に示されている。設計プロセスのこの時点において、インダクタ及びコンデンサには特定の値は割り当てられていない。
【００３３】
方法６００に戻ると、ブロック６１５において、設計者は、変動負荷の動作状態に基づいた、変動負荷における各負荷用の構成テーブルを作成する。これを行うために、設計者は、変動負荷の起こりうる動作状態を特定する。例えば、図４のチャート４００に示した例を用いると、この変動負荷は、４つの動作状態を有する。動作状態１、２、及び、３においては、負荷１３５のうちの１つだけが稼働状態である。しかしながら、動作状態４においては、負荷１３５Ａと１３５Ｂの両方が稼働状態である。ある特定の変動負荷について起こりうるすべての動作状態が特定されると、設計者は、各負荷用の構成テーブルを作成する。
【００３４】
一態様において、図８の構成テーブルが、負荷１３５Ａに割り当てられる。動作状態４においては負荷１３５Ａと１３５Ｂの両方が同時に稼働されるため、負荷１３５Ｂ用の構成テーブルは、構成テーブル８００の部分集合でしかない。すなわち、負荷１３５Ａにフィルターを提供するために必要なインダクタ及びコンデンサのすべてがいったん特定されると、これらのコンポーネントは、負荷１３５Ｂ用のフィルターの設計には使用されないものとして記される（これらのコンポーネントは、負荷１３５Ａ用のＥＭＩフィルターに必要となるものだからである）。負荷１３５Ｂ用の構成テーブルは、同じ手順でブロック６１５において作成されるが、この際に負荷１３５Ａに割り当てられたコンポーネントを用いることはなく、従って、この構成テーブルに含まれる構成の数は、テーブル８００よりも少ない。
【００３５】
第３の負荷、すなわち負荷１３５Ｃ用の構成テーブルは、負荷１３５Ａ用の構成テーブルと同じであってもよい。これらの負荷は、常に互い独立して作動するからである。すなわち、変動負荷は、負荷１３５Ａと負荷１３５Ｃとが同時に稼働する動作状態となることはない。従って、負荷１３５Ａ用のＥＭＩフィルターを形成するのに用いられた電気コンポーネントは、負荷１３５Ｃ用のＥＭＩフィルターを形成するのに用いることができる。従って、ＥＭＩフィルターを形成する際には、４個のインダクタ及び２個のコンデンサのすべてを使用することができ、結果として３６０個の組み合わせ、すなわち負荷１３５Ａ用の構成テーブル８００と同じサイズの構成テーブルとなる。
【００３６】
ブロック６２０において、設計者は、各負荷用のＥＭＩフィルター値要件を満たす最適構成を検索する。これを行うため、設計者は、サーチング・メッシュ・アンド・レンジ（searching mesh and range）などの検索アルゴリズムを実行する検索アプリケーション（例えばソフトウェアアプリケーション）を使用してもよい。例えば、検索アルゴリズムは、規定された検索ステップ及び境界要件−例えば、最大数の検索−を行うことによって、４個のインダクタ及び２個のコンデンサの適切な値を特定する。いったん検索アプリケーションが設定されると、次に、インダクタ及びコンデンサの値の組が検索され、各負荷に関連付けられたＥＭＩフィルターの要件を満たす適切な値が特定される。例えば、検索アルゴリズムは、各負荷の少なくとも１つの構成に割り当てることができるインダクタ値及びコンデンサ値があるかどうかを確認する。適切なインダクタ値及びコンデンサ値の構成が複数ある場合は、検索アプリケーション又は設計者は、スイッチの数又はインダクタ値及びコンデンサ値が最も小さくなる構成を選択することになるであろう。（値が小さいことは、インダクタ及びコンデンサの重量が少ない又は占めるスペースが小さいことを意味するからである。）
【００３７】
ブロック６２５において、ブロック６２０において特定された構成が負荷用の所望のフィルター値を提供する場合、方法６００はブロック６３０に進み、ここで、特定された構成が組み合わされてＥＭＩフィルターネットワークの設計が形成される。しかしながら、特定された構成が適切でない場合、ブロック６３５において、設計者は、電気コンポーネントの数を増やす。例えば、４個のインダクタと２個のコンデンサを用いることに代えて、設計者は、電気コンポーネントの数を、５個のインダクタと２個のコンデンサに増やす。方法６００は、次にブロック６１０に戻り、数の増えた電気コンポーネントを用いた最適構成が見つかるかどうかを判定する。図示していないが、最適構成が見つかる（すなわち方法はブロック６３０に進む）か、又は、減少後の電気コンポーネントの数が、ブロック６０５で特定された個々のＥＭＩフィルターの電気コンポーネントの総数に等しくなるまで、方法６００は続けられる。
【００３８】
さまざまな態様の記載は、例示を目的として提示したものであり、すべてを網羅することや、開示した態様に限定することを意図するものではない。開示の態様の範囲及び精神から逸脱することなく、多くの変更または変形を行えることは、当業者には明らかであろう。本明細書で用いる用語は、態様の原理、実際の用途、又は、市場で見られる技術に対する技術的改良点をもっとも適切に説明するため、あるいは、本明細書に開示の態様を他の当業者が理解できるように、選択されたものである。
【００３９】
先のパラグラフは、本開示の態様について言及している。しかしながら、本開示の範囲は、記載された特定の態様に限定されない。むしろ、先に述べた特徴及び要素のいかなる組み合わせも、それらが互いに異なる態様に関連しているかどうかにかかわらず、意図した態様の実施に該当するものである。また、本明細書に開示した態様は、他の可能な解決策又は従来技術に対して利点をもたらすものであるが、ある態様によって特定の効果が得られるかどうかは、本開示の範囲を限定するものではない。従って、先に述べた態様、特徴、及び、効果は、単に例示的なものであり、添付の特許請求の範囲に明確に記載されていない限り、当該特許請求の範囲の要素又は限定事項と考えられるべきではない。同様に、「本発明」と言うことによって、本明細書に開示の発明の要旨を概括化したものと解釈されるべきではなく、添付の特許請求の範囲に明確にその旨記載されていない限り、特許請求の範囲の要素又は限定であると解釈されるべきではない。
【００４０】
態様は、全体がハードウェアの態様、全体がソフトウェアの態様（ファームウェア、常駐ソフトウェア、マイクロコード等を含む）、又は、ソフトウェアとハードウェアの態様を組み合わせた態様、の形態を取ることができ、これらすべてを本明細書では概括的に「回路」「モジュール」又は「システム」と呼ぶ場合がある。
【００４１】
態様は、システム、方法、及び／又はコンピュータープログラム製品であるかもしれない。コンピュータープログラム製品には、ハードウェア及びソフトウェアを含むプロセッサに本明細書に記載の態様を実施させるためのコンピューター可読プログラム命令を含んだコンピューター可読記憶媒体を含みうる。
【００４２】
コンピューター可読記憶媒体は、命令実行デバイスによって使用される命令を保持及び格納することができる有形のデバイスとすることができる。コンピューター可読記憶媒体は、例えば、限定するものではないが、電子記憶装置、磁気記憶装置、光学記憶装置、電磁記憶装置、半導体記憶装置、又はこれらの任意の適当な組み合わせであってもよい。コンピューター可読記憶媒体のより具体的な例の非排他的なリストは以下のものを含む。すなわち、ポータブルコンピューターディスケット、ハードディスク、ランダムアクセスメモリ（ＲＡＭ）、リードオンリーメモリ（ＲＯＭ）、消去可能プログラマブルリードオンリーメモリ（ＥＰＲＯＭ又はフラッシュメモリ）、スタティックランダムアクセスメモリ（ＳＲＡＭ）、ポータブルコンパクトディスクリードオンリーメモリ（ＣＤ−ＲＯＭ）、デジタルバーサタイルディスク（ＤＶＤ）、メモリースティック、フロッピーディスク、命令が記録された、パンチカードや溝内の隆起構造などの機械的にエンコードされたデバイス、及び、これらの任意の適当な組み合わせを含む。本明細書で用いられるコンピューター可読記憶媒体は、それ自体が、電波もしくは他の自由に伝搬する電磁波、導波路もしくは他の伝送媒体を介して伝搬する電磁波（例えば光ファイバケーブルを通過する光パルス）、又は、ワイヤを介して送信される電気信号などの一時的な信号であると解釈されるべきではない。
【００４３】
本明細書に記載のコンピューター可読プログラム命令は、コンピューター可読記憶媒体から、ハードウェア及びソフトウェアを含む各コンピューティング／処理デバイスにダウンロードすることができ、あるいは、インターネット、ローカルエリアネットワーク、ワイドエリアネットワーク、及び／又はワイヤレスネットワークなどのネットワークを介して、外部コンピューター又は外部記憶装置にダウンロードすることができる。ネットワークは、銅伝送ケーブル、光伝送ファイバ、無線伝送、ルータ、ファイアウォール、スイッチ、ゲートウェイコンピューター及び／又はエッジサーバーを含みうる。各コンピューティング／処理デバイスにおけるネットワークアダプタカード又はネットワークインターフェイスは、ネットワークからコンピューター可読プログラム命令を受信し、コンピューター可読プログラム命令を、各コンピューティング／処理デバイス内のコンピューター可読記憶媒体に格納すべく転送する。
【００４４】
本態様の動作を実行するためのコンピューター可読プログラム命令は、アセンブラ命令、命令セットアーキテクチャ（ＩＳＡ）命令、機械語命令、機械依存命令、マイクロコード、ファームウェア命令、状態設定データ、又は、スモールトーク、Ｃ＋＋などのオブジェクト指向プログラミング言語、及び、「Ｃ」プログラミング言語又はこれに類するプログラミング言語などの従来の手続き型プログラミング言語を含む１つ以上のプログラミング言語の任意の組み合わせで書かれたソースコードもしくはオブジェクトコードのいずれかであってもよい。コンピューター可読プログラム命令は、全体をユーザーのコンピューターで実行してもよいし、一部を、スタンドアローンソフトウェアパッケージとしてユーザーのコンピューターで実行してもよいし、一部をユーザーのコンピューターで実行し一部をリモートコンピューターで実行してもよいし、全体をリモートコンピューター又はサーバーで実行してもよい。後者の場合、リモートコンピューターを、ローカルエリアネットワーク（ＬＡＮ）又はワイドエリアネットワーク（ＷＡＮ）を含む任意のタイプのネットワークを介してユーザーのコンピューターに接続してもよいし、あるいは、（例えば、インターネットサービスプロバイダを用いたインターネットを介して）外部コンピューターに接続してもよい。いくつかの態様においては、本開示の態様を実行するために、例えば、プログラマブル論理回路、フィールド・プログラマブル・ゲート・アレイ（ＦＰＧＡ）、又は、プログラマブル論理アレイ（ＰＬＡ）を含む電子回路が、コンピューター可読プログラム命令の状態情報を用いて、コンピューター可読プログラム命令を実行することによって、電子回路をパーソナライズしてもよい。
【００４５】
本明細書において、方法、装置（システム）及びコンピュータープログラム製品のフローチャート図及び／又はブロック図を参照して、態様を説明している。フローチャート図及び／又はブロック図における各ブロック、及び、フローチャート図及び／又はブロック図におけるブロックの組み合わせは、コンピューター可読プログラム命令によって実施することができる。
【００４６】
コンピューター可読プログラム命令は、マシーンを製造するための、汎用コンピューター、専用コンピューター、又は他のプログラム可能なデータ処理装置のプロセッサに提供され、コンピューターのプロセッサ又は他のプログラム可能なデータ処理装置を介して実行される命令が、フローチャート図及び／又はブロック図のブロックに明記された機能／作用を実施するための手段を形成することができる。これらのコンピューター可読プログラム命令を、コンピューター、プログラム可能なデータ処理装置、及び／又は他のデバイスに特定の態様で機能するよう指示することができるコンピューター可読媒体に格納し、命令が格納された当該コンピューター可読媒体が、フローチャート図及び／又はブロック図のブロックに明記された機能／作用の態様を実施する命令を含む製品で構成されるようにすることもできる。
【００４７】
また、コンピューター可読プログラム命令を、コンピューター、他のプログラム可能なデータ処理装置、又は他のデバイスにロードして、一連の動作工程が当該コンピューター、他のプログラム可能なデータ処理装置、又は他のデバイスで行われるようにすることによってコンピューター実施プロセスを作成し、コンピューター、他のプログラム可能な装置、又は他のデバイスで実施される命令が、フローチャート図及び／又はブロック図のブロックに明記された機能／作用を実施するようにしてもよい。
【００４８】
図面におけるフローチャート図及び／又は概略ブロック図は、本明細書に開示の様々な態様によるシステム、方法、及びコンピュータープログラム製品の可能な実施態様の構成、機能、及び動作を示している。これに関して、フローチャート図又はブロック図における各ブロックは、特定の論理機能を実現するための１つ又は複数の実行可能な命令を含むモジュール、セグメント、又は命令の一部を表す場合がある。いくつかの代替の実施形態において、ブロックに示した機能が、図に示した順序とは異なる順序で行われてもよい。例えば、機能によっては、連続するものとして示されている２つのブロックが、実際には実質的に同時に実行されてもよいし、あるいは、これらのブロックが時には逆の順序で実行されてもよい。また、ブロック図及び／又はフローチャート図の各ブロック、及び、ブロック図及び／又はフローチャート図のブロックの組み合わせは、特定の機能又は作用を実行する、あるいは、特殊目的のハードウェア及びコンピューター命令の組み合わせを実行する特殊目的のハードウェアベースシステムによって実施することができる。
【００４９】
また、本開示は以下の付記による実施形態を含む。
【００５０】
付記１．  電磁干渉（ＥＭＩ）フィルタリングの方法であって、
ＥＭＩフィルターネットワークに接続された複数の負荷によって規定された変動負荷に対して第１のフィルター値を提供するよう、前記ＥＭＩフィルターネットワークを構成し、前記ＥＭＩフィルターネットワークは複数のスイッチを含み、前記ＥＭＩフィルターネットワークを構成するに際して、前記複数のスイッチのそれぞれの設定を選択し、
前記変動負荷の動作状態の変化を確認したとき、前記複数のスイッチのうちの少なくとも１つの前記設定を変更することによって、前記変動負荷に対して第２のフィルター値を提供するよう、前記ＥＭＩフィルターネットワークを再構成する、方法。
【００５１】
付記２．  前記ＥＭＩフィルターネットワークは、複数のインダクタ及び複数のコンデンサを含んでおり、前記ＥＭＩフィルターネットワークは、前記複数のインダクタ及びコンデンサを、前記複数のスイッチを用いて第１の態様で電気的に接続することによって、前記第１のフィルター値を提供し、前記複数のインダクタ及びコンデンサを、前記複数のスイッチを用いて第２の態様で電気的に接続することによって、前記第２のフィルター値を提供する、付記１に記載の方法。
【００５２】
付記３．  前記第１のフィルター値は、前記変動負荷の第１の動作状態に対応し、前記第２のフィルター値は、前記変動負荷の第２の動作状態に対応し、前記第１の動作状態においては、前記複数の負荷のうちの第１の組が稼働状態であり、前記第２の動作状態においては、前記複数の負荷のうちの第２の組が稼働状態である、付記１又は２に記載の方法。
【００５３】
付記４．  前記第１の組は、前記複数の負荷のうち、前記変動負荷が前記第１の動作状態にある際に稼働状態である第１の負荷を含み、前記第１の負荷は、前記変動負荷が前記第２の動作状態にある際には非稼働状態である、付記３に記載の方法。
【００５４】
付記５．  前記第１のフィルター値は、複数の負荷のうちの第１の負荷に接続された、前記ＥＭＩフィルターネットワークの第１の出力に供給される一方、前記第２のフィルター値は、複数の負荷のうちの第２の負荷に接続された、前記ＥＭＩフィルターネットワークの第２の出力に供給される、付記１〜４のいずれか１つに記載の方法。
【００５５】
付記６．  前記ＥＭＩフィルターネットワークが、前記第１の出力に前記第１のフィルター値を供給する際、前記ＥＭＩフィルターネットワークは、前記第２の出力に第３のフィルター値を供給し、前記第３のフィルター値は、前記第２のフィルター値とは異なる、付記５に記載の方法。
【００５６】
付記７．  前記ＥＭＩフィルターネットワークの１つ又は複数の入力において、電力変換システムから電力を受信することをさらに含み、受信した電力を前記第１及び第２のフィルター値によってフィルタリングしてから、フィルタリングされた電力を、前記ＥＭＩフィルターネットワークの前記第１及び第２の出力を用いて前記変動負荷に供給することをさらに含む、付記５に記載の方法。
【００５７】
付記８．  複数の受動回路要素と、
複数のスイッチと、
それぞれ負荷に接続するように構成された第１及び第２の出力と、を含み、
前記複数のスイッチが前記複数の受動回路要素間に配置されていることによって、前記スイッチのうちの少なくとも１つの状態を変更すると、前記複数の受動回路要素が、前記第１の出力用の第１のフィルター値を提供する第１の態様から、前記第２の出力用の第２のフィルター値を提供する第２の態様に再構成される、ＥＭＩフィルターネットワーク。
【００５８】
付記９．  前記第１の態様から前記第２の態様に切り替えると、前記第２の出力のフィルター値は、第３のフィルター値から前記第２のフィルター値に変化する、付記８に記載のＥＭＩフィルターネットワーク。
【００５９】
付記１０．  前記第１の態様から前記第２の態様に切り替えると、前記第１の出力のフィルター値は、前記第１のフィルター値から第４のフィルター値に変化する、付記９に記載のＥＭＩフィルターネットワーク。
【００６０】
付記１１．  外部電源から電力を受信するように構成された少なくとも１つの入力をさらに含み、前記第１の態様は、前記第１のフィルター値に従って前記電力をフィルタリングし、前記第２の態様は、前記第２のフィルター値に従って前記電力をフィルタリングする、付記８〜１０のいずれか１つに記載のＥＭＩフィルターネットワーク。
【００６１】
付記１２．  前記複数の受動回路要素は、少なくとも１つのインダクタ及び少なくとも１つのコンデンサを含み、前記複数のスイッチのうちの少なくとも１つは、前記インダクタとコンデンサの間に配置されることによって、前記コンデンサを前記インダクタに対して電気的に接続・遮断する、付記８〜１１のいずれか１つに記載のＥＭＩフィルターネットワーク。
【００６２】
付記１３．  前記各負荷を含む変動負荷の動作状態の変化が確認されたのを受けて、前記少なくとも１つのスイッチの状態を制御することによって、前記複数の受動回路要素を前記第１の態様から前記第２の態様に変更するように構成されたコントローラをさらに含む、付記８〜１２のいずれか１つに記載のＥＭＩフィルターネットワーク。
【００６３】
付記１４．複数のスイッチを含むＥＭＩフィルターネットワークと、
前記ＥＭＩフィルターネットワークに接続された複数の負荷によって規定された変動負荷と、
コントローラと、を含むシステムであって、前記コントローラは、
前記複数のスイッチのそれぞれの設定を選択することによって、前記変動負荷に対して第１のフィルター値を提供するよう、前記ＥＭＩフィルターネットワークを構成するとともに、
前記変動負荷の動作状態の変化を確認したとき、前記複数のスイッチのうちの少なくとも１つの設定を変更することによって、前記変動負荷に対して第２のフィルター値を提供するよう、前記ＥＭＩフィルターネットワークを再構成するように構成されている、システム。
【００６４】
付記１５．前記変動負荷及び前記ＥＭＩフィルターネットワークは、飛行機に配置されており、前記変動負荷は、少なくとも２つのモータを含む、付記１４に記載のシステム。
【００６５】
付記１６．  前記ＥＭＩフィルターネットワークは、複数のインダクタ及び複数のコンデンサを含んでおり、前記ＥＭＩフィルターネットワークは、前記複数のインダクタ及びコンデンサを、前記複数のスイッチを用いて第１の態様で電気的に接続することによって、前記第１のフィルター値を提供し、前記複数のインダクタ及びコンデンサを、前記複数のスイッチを用いて第２の態様で電気的に接続することによって、前記第２のフィルター値を提供する、付記１４又は１５に記載のシステム。
【００６６】
付記１７．  前記第１のフィルター値は、前記変動負荷の第１の動作状態に対応し、前記第２のフィルター値は、前記変動負荷の第２の動作状態に対応し、前記第１の動作状態においては、前記複数の負荷のうちの第１の組が稼働状態であり、前記第２の動作状態においては、前記複数の負荷のうちの第２の組が稼働状態である、付記１４〜１６のいずれか１つに記載のシステム。
【００６７】
付記１８．  前記第１の組は、前記複数の負荷のうち、前記第１の動作状態において稼働状態である第１の負荷を含み、前記第１の負荷は、前記第２の動作状態において非稼働状態である、付記１７に記載のシステム。
【００６８】
付記１９．  前記第１のフィルター値は、複数の負荷のうちの第１の負荷に接続された、前記ＥＭＩフィルターネットワークの第１の出力に供給される一方、前記第２のフィルター値は、複数の負荷のうちの第２の負荷に接続された、前記ＥＭＩフィルターネットワークの第２の出力に供給される、付記１４〜１８のいずれか１つに記載のシステム。
【００６９】
付記２０．  前記ＥＭＩフィルターネットワークが、前記第１の出力に前記第１のフィルター値を供給する際、前記ＥＭＩフィルターネットワークは、前記第２の出力に第３のフィルター値を供給するように構成されており、前記第３のフィルター値は、前記第２のフィルター値とは異なる、付記１９に記載のシステム。
【００７０】
付記２１．ＥＭＩフィルターネットワークを設計する方法であって、
複数の負荷のそれぞれのための個別ＥＭＩフィルターを決定し、
前記個別ＥＭＩフィルターの受動回路要素の総数を求め、
前記各負荷のそれぞれに対する構成テーブルを作成し、その際、各構成テーブルは、受動回路要素の前記総数よりも少ない第１の数の受動回路要素を用いて実現可能な前記各負荷用のＥＭＩフィルターの構成のリストを含んでおり、
検索アプリケーションを用いて、前記負荷のそれぞれのための少なくとも１つの構成、及び、前記第１の数の受動回路要素用の好適な値を特定し、
前記特定された構成及び好適な値に基づいて前記ＥＭＩフィルターネットワークを作成する、方法。
【００７１】
実施態様について説明したが、その基本的な範囲を逸脱することなく他の様々な態様を想定することができ、その範囲は、以下の特許請求の範囲によって規定される。
【図１】
0006623115.tif 000002
【図２】
0006623115.tif 000003
【図３】
0006623115.tif 000004
【図４】
0006623115.tif 000005
【図５】
0006623115.tif 000006
【図６】
0006623115.tif 000007
【図７】
0006623115.tif 000008
【図８】
0006623115.tif 000009